(57)【要約】【課題】本発明は、ＤＣ−ＤＣコンバータ、集積回路及びフラットディスプレイ装置に関し、特にチャージポンプ型ＤＣ−ＤＣコンバータに適用して、従来に比して、変換効率を向上し、リップルを少なくする。【解決手段】コンデンサ４を充電するスイッチ回路５と、バイアスされたコンデンサ４の端子電圧を出力するスイッチ回路６とをタイミングをずらしてオンオフ制御する。【選択図】        図１
2004229434.tif 000002
【特許請求の範囲】
【請求項１】
キャパシタと、
第１の制御クロックによりオン状態に切り換わり、充電又は放電により前記キャパシタの一端を所定電位に設定する第１のスイッチ回路と、
第２の制御クロックに応じて前記キャパシタの他端の電圧を変化させ、前記第１のスイッチ回路により前記所定電位に設定された前記キャパシタの他端の電位をバイアスさせる駆動回路と、
第３の制御クロックによりオン状態に切り換わり、前記駆動回路によりバイアスされた前記キャパシタの他端の電位を出力する第２のスイッチ回路とを備え、
前記第１〜第３の制御クロックの設定により、
前記第２のスイッチ回路をオフ状態に設定した後、前記駆動回路による前記キャパシタのバイアスを中止し、続いて前記第１のスイッチ回路をオン状態に切り換え、
前記第１のスイッチ回路をオフ状態に切り換えた後、前記駆動回路により前記キャパシタのバイアスを開始させ、続いて前記第２のスイッチ回路をオン状態に設定する
ことを特徴とするＤＣ−ＤＣコンバータ。
【請求項２】
内蔵のＤＣ−ＤＣコンバータにより外部から供給される入力電源から内部動作用の電源を生成する集積回路において、
前記ＤＣ−ＤＣコンバータは、
キャパシタと、
第１の制御クロックによりオン状態に切り換わり、充電又は放電により前記キャパシタの一端を所定電位に設定する第１のスイッチ回路と、
第２の制御クロックに応じて前記キャパシタの他端の電圧を変化させ、前記第１のスイッチ回路により前記所定電位に設定された前記キャパシタの他端の電位をバイアスさせる駆動回路と、
第３の制御クロックによりオン状態に切り換わり、前記駆動回路によりバイアスされた前記キャパシタの他端の電位を出力する第２のスイッチ回路とを備え、
前記第１〜第３の制御クロックの設定により、
前記第２のスイッチ回路をオフ状態に設定した後、前記駆動回路による前記キャパシタのバイアスを中止し、続いて前記第１のスイッチ回路をオン状態に切り換え、
前記第１のスイッチ回路をオフ状態に切り換えた後、前記駆動回路により前記キャパシタのバイアスを開始させ、続いて前記第２のスイッチ回路をオン状態に設定する
ことを特徴とする集積回路。
【請求項３】
マトリックス状に画素を配置してなる表示部と、前記表示部の画素を駆動する駆動回路とを基板上に一体に形成してなるフラットディスプレイ装置において、
前記駆動回路は、
内蔵のＤＣ−ＤＣコンバータにより外部から供給される入力電源から内部動作用の電源を生成し、
前記ＤＣ−ＤＣコンバータは、
キャパシタと、
第１の制御クロックによりオン状態に切り換わり、充電又は放電により前記キャパシタの一端を所定電位に設定する第１のスイッチ回路と、
第２の制御クロックに応じて前記キャパシタの他端の電圧を変化させ、前記第１のスイッチ回路により前記所定電位に設定された前記キャパシタの他端の電位をバイアスさせる駆動回路と、
第３の制御クロックによりオン状態に切り換わり、前記駆動回路によりバイアスされた前記キャパシタの他端の電位を出力する第２のスイッチ回路とを備え、
前記第１〜第３の制御クロックの設定により、
前記第２のスイッチ回路をオフ状態に設定した後、前記駆動回路による前記キャパシタのバイアスを中止し、続いて前記第１のスイッチ回路をオン状態に切り換え、
前記第１のスイッチ回路をオフ状態に切り換えた後、前記駆動回路により前記キャパシタのバイアスを開始させ、続いて前記第２のスイッチ回路をオン状態に設定する
ことを特徴とするフラットディスプレイ装置。
【発明の詳細な説明】
【０００１】
【発明の属する技術分野】
本発明は、ＤＣ−ＤＣコンバータ、集積回路及びフラットディスプレイ装置に関し、特にチャージポンプ型ＤＣ−ＤＣコンバータ、このＤＣ−ＤＣコンバータを使用した集積回路等に適用することができる。本発明は、キャパシタを充電又は放電するスイッチ回路と、バイアスされたキャパシタの端子電圧を出力するスイッチ回路とをタイミングをずらしてオンオフ制御することにより、チャージポンプ式のＤＣ−ＤＣコンバータを使用する上で、従来に比して、変換効率を向上し、リップルを少なくすることができるようにする。
【０００２】
【従来の技術】
近年、例えばＰＤＡ、携帯電話等の携帯端末装置に適用されるフラットディスプレイ装置である液晶表示装置においては、液晶表示パネルを構成する絶縁基板であるガラス基板上に、液晶表示パネルの駆動回路を一体に構成するものが提供されるようになされている。
【０００３】
このような液晶表示装置においては、例えば特開２００２−１９１１６８号公報に開示されているようなチャージポンプ式のＤＣ−ＤＣコンバータを用いて電源回路が形成され、この電源回路により、駆動回路の各部で必要な電源を生成するようになされている。
【０００４】
図１０は、この種のＤＣ−ＤＣコンバータの基本的な構成を示す接続図である。このＤＣ−ＤＣコンバータ１は、図１１に示すように、所定周期により信号レベルが切り換わるクロックＣＫをインバータ回路２を介してバッファ回路３に入力し、このバッファ回路３の出力によりメインキャパシタ４の一端の電位を変化させる。またこのクロックＣＫによりＭＯＳ（Ｍｅｔａｌ  Ｏｘｉｄｅ  Ｓｅｍｉｃｏｎｄｕｃｔｏｒ  ）トランジスタ等によるチャージスイッチ回路５をオンオフ制御し、電源電圧ＶＤＤによりメインキャパシタ４の他端の電位を設定する。
【０００５】
これによりＤＣ−ＤＣコンバータ１は、メインキャパシタ４の一端を電源ＶＤＤの電位に設定し、この電位をバッファ回路３の駆動によりバイアスすることにより、メインキャパシタ４により電源電圧ＶＤＤを昇圧させるようになされ、チャージスイッチ回路５によりメインキャパシタ４の他端を充電していない期間の間、ＭＯＳトランジスタ等によるアウトスイッチ回路６をオン状態に切り換えて、メインキャパシタ４で昇圧された電圧Ｖ０を出力するようになされている。またこのアウトスイッチ回路６を介して得られる出力電圧Ｖ０を判定して、クロックＣＫの供給を制御することにより、出力電圧Ｖ０を所定電圧に保持するようになされている。
【０００６】
【特許文献１】
特開２００２−１９１１６８号公報
【０００７】
【発明が解決しようとする課題】
ところで図１０に示すＤＣ−ＤＣコンバータにおいては、共通のクロックＣＫによりチャージスイッチ回路５及びアウトスイッチ回路６を相補的にオンオフ制御していることにより、これらのスイッチ回路５、６を構成するトランジスタの遷移期間において、一時的に双方がオン状態に保持され、これにより過渡的に短絡の状態が発生する。
【０００８】
これによりこの種のＤＣ−ＤＣコンバータにおいては、変換ロスが発生し、装置全体として見たとき、消費電力が増大する問題がある。またこのような過渡的な短絡の状態により、出力電圧Ｖ０にリップルが発生する問題があり、このリップルにあっては、他の回路の動作に悪影響を与える恐れもある。
【０００９】
本発明は以上の点を考慮してなされたもので、チャージポンプ式のＤＣ−ＤＣコンバータを使用する上で、従来に比して、変換効率を向上し、リップルを少なくすることができるＤＣ−ＤＣコンバータ、このＤＣ−ＤＣコンバータを用いた集積回路及びフラットディスプレイ装置を提案しようとするものである。
【００１０】
【課題を解決するための手段】
かかる課題を解決するため請求項１の発明においては、ＤＣ−ＤＣコンバータに適用して、第１〜第３の制御クロックの設定により、第２のスイッチ回路をオフ状態に設定した後、駆動回路によるキャパシタのバイアスを中止し、続いて第１のスイッチ回路をオン状態に切り換え、第１のスイッチ回路をオフ状態に切り換えた後、駆動回路によりキャパシタのバイアスを開始させ、続いて第２のスイッチ回路をオン状態に設定する。
【００１１】
また請求項２の発明においては、内蔵のＤＣ−ＤＣコンバータにより外部から供給される入力電源から内部動作用の電源を生成する集積回路に適用して、ＤＣ−ＤＣコンバータが、第１〜第３の制御クロックの設定により、第２のスイッチ回路をオフ状態に設定した後、駆動回路によるキャパシタのバイアスを中止し、続いて第１のスイッチ回路をオン状態に切り換え、第１のスイッチ回路をオフ状態に切り換えた後、駆動回路によりキャパシタのバイアスを開始させ、続いて第２のスイッチ回路をオン状態に設定する。
【００１２】
また請求項３の発明においては、マトリックス状に画素を配置してなる表示部と、表示部の画素を駆動する駆動回路とを基板上に一体に形成してなるフラットディスプレイ装置に適用して、駆動回路が、内蔵のＤＣ−ＤＣコンバータにより外部から供給される入力電源から内部動作用の電源を生成し、このＤＣ−ＤＣコンバータが、第１〜第３の制御クロックの設定により、第２のスイッチ回路をオフ状態に設定した後、駆動回路によるキャパシタのバイアスを中止し、続いて第１のスイッチ回路をオン状態に切り換え、第１のスイッチ回路をオフ状態に切り換えた後、駆動回路によりキャパシタのバイアスを開始させ、続いて第２のスイッチ回路をオン状態に設定する。
【００１３】
請求項１の構成によれば、ＤＣ−ＤＣコンバータに適用して、キャパシタを充電する第１のスイッチ回路と、バイアスされたキャパシタの端子電圧を出力する第２のスイッチ回路とをタイミングをずらしてオンオフ制御することにより、これら第１及び第２のスイッチ回路の過渡的な短絡状態を有効に回避し得、これによりチャージポンプ式のＤＣ−ＤＣコンバータを使用する上で、従来に比して、変換効率を向上し、リップルを少なくすることができる。
【００１４】
これにより請求項２の構成によれば、内蔵のＤＣ−ＤＣコンバータにより外部から供給される入力電源から内部動作用の電源を生成する集積回路に適用して、従来に比して、ＤＣ−ＤＣコンバータの変換効率を向上して消費電力を少なくし得、リップルを少なくして性能を向上することができる。
【００１５】
また請求項３の構成によれば、マトリックス状に画素を配置してなる表示部と、表示部の画素を駆動する駆動回路とを基板上に一体に形成してなるフラットディスプレイ装置に適用して、従来に比して、ＤＣ−ＤＣコンバータの変換効率を向上して消費電力を少なくし得、リップルを少なくして性能を向上することができる。
【００１６】
【発明の実施の形態】
以下、適宜図面を参照しながら本発明の実施の形態を詳述する。
【００１７】
（１）第１の実施の形態の構成
図２は、本発明の実施の形態に係る携帯端末装置に係る画像表示部を示すブロック図である。この携帯端末装置は、例えば携帯電話、ＰＤＡ等であり、この画像表示部１１により所望の画像を表示する。このためこの画像表示部１１においては、画像処理回路１２に内蔵の画像メモリに画像データＤ１を格納し、この画像データＤ１を順次液晶表示装置１３に出力する。またこの画像データＤ１の出力に同期して、マスタクロックＭＣＫ、垂直同期信号ＶＳＹＮＣ、水平同期信号ＨＳＹＮＣを出力する。
【００１８】
この携帯端末装置は、内蔵の液晶表示装置１３によりこれら画像データＤ１、マスタクロックＭＣＫ、垂直同期信号ＶＳＹＮＣ、水平同期信号ＨＳＹＮＣを入力し、この液晶表示装置１３により画像を表示する。ここでこの液晶表示装置１３は、マトリックス状に画素を配置してなる表示部１４と、この表示部１４の画素を駆動する駆動回路１５とをガラス基板上に一体に形成してなるフラットディスプレイ装置である。この実施の形態では、この表示部１４の画素が、液晶セル、この液晶セルをスイッチングするポリシリコンＴＦＴ、補助容量とにより構成される。
【００１９】
これに対して駆動回路１５は、インターフェース（ＩＦ）１６を介してマスタクロックＭＣＫ、垂直同期信号ＶＳＹＮＣ、水平同期信号ＨＳＹＮＣをタイミングジェネレータ（ＴＧ）１７に入力し、ここで各種動作基準のタイミング信号を生成する。ＤＣ−ＤＣコンバータ（ＤＤＣ）２１は、このタイミングジェネレータ１７で生成される所定のタイミング信号により動作して、この液晶表示装置１３に供給される電源ＶＤＤから各部の動作に必要な電源ＶＤＤ２、ＶＶＳＳ２、ＨＶＳＳ２等を生成する。
【００２０】
垂直駆動回路１８は、同様に、タイミングジェネレータ１７で生成される所定のタイミング信号により動作して、表示部１４のラインを選択する選択信号を出力する。基準電圧発生回路１９は、水平駆動回路２０の処理に必要な基準電圧を生成し、水平駆動回路２０は、画像データＤ１による階調データにより表示部１４の対応する画素の階調を設定する。
【００２１】
図３は、このＤＣ−ＤＣコンバータ２１の１つの電源ＶＤＤ２に係る構成を示す接続図である。ここでコンバータ部３１は、チャージポンプ式のＤＣ−ＤＣコンバータであり、クロックＣＫを基準にして動作して所定の電源ＶＤＤ２を出力する。比較回路３２は、このコンバータ部３１から出力される電源ＶＤＤ２の電位ＶＡと所定の基準電位ＶＢとの比較結果をラッチ３３に出力し、ラッチ３３は、この比較結果をラッチしてアンド回路３４に出力する。アンド回路３４は、このラッチ３３のラッチ結果によりクロックＣＫをゲートすることにより、コンバータ部３１の動作をオンオフ制御する。これによりＤＣ−ＤＣコンバータ２１は、比較回路３２の比較結果によるフィードバック制御により、出力電圧ＶＤＤ２を所定電圧に保持するようになされている。
【００２２】
ここで比較回路３２は、図４に示すように、制御信号ＳＣＣにより動作するスイッチ回路４１、４２、４３により比較回路本体４７の入力ライン、出力ラインを切断し得るように構成され、また電源制御信号ＳＣにより動作するスイッチ回路４４、４５により比較回路本体４７への電源ＶＣＣ、ＶＳＳの供給が停止されるようになされている。
【００２３】
比較回路３２は、これら電源制御信号ＳＣ及び制御信号ＳＣＣの信号レベルが連動して切り換わるように設定され、これによりスイッチ回路４１〜４３がオフ状態に切り換わって電位ＶＡ及びＶＢを比較していない期間の間、スイッチ回路４４、４５がオフ状態に切り換わって電源を供給しないようになされ、これにより一段と消費電力を低減するようになされている。
【００２４】
ＤＣ−ＤＣコンバータ２１は（図３）、この比較回路３２による比較結果がラッチ３３によりラッチされてアンド回路３４に入力され、このアンド回路３４によりクロックＣＫをゲートして、コンバータ部３１の出力電圧ＶＤＤ２を所定電圧に保持するようになされている。
【００２５】
すなわち図５に示すように、ＤＣ−ＤＣコンバータ２１においては、コンバータ部３１がクロックＣＫにより動作して出力電圧ＶＤＤ２を徐々に上昇させる（図５（Ａ）及び（Ｂ））。ＤＣ−ＤＣコンバータ２１においては、一定の時間間隔により、電源制御信号ＳＣ及び制御信号ＳＣＣが立ち上がって比較回路３２により比較結果が得られ（図５（Ｃ）及び（Ｄ））、この比較結果がラッチ３３によりラッチされ、これによりアンド回路３４をゲートするコンバータ部３１の制御信号ＳＤが立ち上がる（図５（Ｅ））。これによりＤＣ−ＤＣコンバータ２１においては、動作を停止して出力電圧ＶＤＤ２が徐々に低下する。また一定の時間間隔だけ経過して電源制御信号ＳＣ及び制御信号ＳＣＣの立ち上りにより、制御信号ＳＤが立ち下がり、これによりコンバータ部３１が動作を開始して出力電圧ＶＶＳＳ２の低下が防止される。これによりこの実施の形態では、常時比較回路を動作させて動作用電源の電圧をモニタする場合に比して、消費電力を低減することができるようになされている。
【００２６】
図１は、図１０との対比によりコンバータ部３１の構成を示す接続図である。この図１に示す構成において、図１０と同一の構成は、対応する符号を付して示し、重複した説明は省略する。このコンバータ部３１は、トランジスタによるチャージスイッチ回路５、アウトスイッチ回路６を、動作基準であるクロックＣＫとは異なる制御クロックＣＣＫ及びＯＣＫにより制御する。
【００２７】
ここで図６に示すように、アウトスイッチ回路６の制御に供する制御クロックＯＣＫは、クロックＣＫに対して先行して立ち上がり、またクロックＣＫに対して遅延して立ち下がるように設定される（図６（Ａ）及び（Ｃ））。またチャージスイッチ回路５の制御に供する制御クロックＣＣＫは、クロックＣＫに対して遅延して立ち上がり、またクロックＣＫに対して先行して立ち下がるように設定される（図６（Ａ）及び（Ｂ））。
【００２８】
これによりこの実施の形態では、時点ｔ１でアウトスイッチ回路６をオフ状態に設定した後、クロックＣＫを立ち上げてメインキャパシタ４の両端電位を立ち下げ、その後、時点ｔ３でチャージスイッチ回路５をオン状態に設定してメインキャパシタ４のチャージスイッチ回路５側端を電源ＶＤＤにより充電し、メインキャパシタ４の両端に、電源ＶＳＳとＶＤＤとの電位差を形成するようになされている。
【００２９】
またこのようにして電位差を形成して、時点ｔ４でチャージスイッチ回路５をオフ状態に設定した後、時点ｔ５でクロックＣＫを立ち下げることにより、メインキャパシタ４の電位差を電源ＶＤＤによりバイアスし、続く時点ｔ６でアウトスイッチ回路６をオン状態に設定することにより、このようにしてバイアスされてなるメインキャパシタ４の高電位側端子電圧が出力され、これにより電源電圧ＶＤＤを昇圧してなる電源電圧ＶＤＤ２が出力される。
【００３０】
このときコンバータ部３１においては、クロックＣＫに対して、先行及び後行して制御クロックＯＣＫ、ＣＣＫの信号レベルが切り換わることにより、アウトスイッチ回路６をオフ状態に設定した後、チャージスイッチ回路５をオン状態に設定し、またこれとは逆に、チャージスイッチ回路５をオフ状態に設定した後、アウトスイッチ回路６をオン状態に設定し得、これによりこれら２つのスイッチ回路５、６の過渡的な短絡状態を防止することができ、その分、変換ロスを低減して変換効率を増大し得、またリップルの発生を防止し得るようになされている。
【００３１】
なおこれら電源制御信号ＳＣ、制御信号ＳＣＣにおいては、図７及び図８に示すように、タイミングジェネレータ１７において、所定の基準信号Ｓ１を遅延回路（Ｄ）５１により遅延させて遅延基準信号Ｓ２を生成し、この基準信号Ｓ１及び遅延基準信号Ｓ２をオア回路５２、アンド回路５３で処理することにより生成される。またクロックＣＫ、ＣＣＫ、ＯＣＫにおいては、同様に、タイミングジェネレータ１７において、マスタクロックＭＣＫを遅延回路（Ｄ）５５、５６により順次遅延し、遅延回路５５の出力をクロックＣＫとして出力し、また遅延回路５６の出力とマスタクロックＭＣＫとをオア回路５７、アンド回路５８で処理することによりクロックＯＣＫ、ＣＣＫが生成されるようになされている。
【００３２】
これらにより、この実施の形態において、スイッチ回路５は、第１の制御クロックであるクロックＯＣＫによりオン状態に切り換わり、充電又は放電によりキャパシタ４の一端を所定電位に設定する第１のスイッチ回路を構成し、バッファ回路３は、第２の制御クロックであるクロックＣＫに応じてキャパシタ４の他端の電圧を変化させ、第１のスイッチ回路により所定電位に設定されたキャパシタ４の他端の電位をバイアスさせる駆動回路を構成する。またスイッチ回路６は、第３の制御クロックであるクロックＣＣＫによりオン状態に切り換わり、駆動回路によりバイアスされたキャパシタ４の他端の電位を出力する第２のスイッチ回路を構成するようになされている。
【００３３】
（２）第１の実施の形態の動作
以上の構成において、この携帯端末装置では（図２）、ホームページをアクセスして取得した画像に係る画像データＤ１、撮像手段を介して取得した画像データＤ１が画像処理回路１２に内蔵の画像メモリに保持され、この画像メモリに保持された画像データＤ１が液晶表示装置１３に同期信号等と共に入力される。さらにこの画像データＤ１が水平駆動回路２０により各画素の階調に対応する駆動信号に変換されて表示部１４に出力され、垂直駆動回路１８によるラインの選択により、この駆動信号が対応するラインの画素に供給され、これによりこの画像データＤ１による画像が表示部１４で表示される。
【００３４】
このようにして画像データＤ１による画像を表示するにつき、電源回路であるＤＣ−ＤＣコンバータ２１により入力電源ＶＤＤから駆動回路の動作に必要な動作用電源ＶＤＤ２等が生成される。すなわちＤＣ−ＤＣコンバータ２１においては（図３）、コンバータ部３１がクロックＣＫにより動作して、入力電源ＶＤＤより動作用電源ＶＤＤ２を生成し、一定の時間間隔で、動作用電源ＶＤＤ２の電圧ＶＡと所定の基準電圧ＶＢとが比較回路３２により比較されてラッチ３３に保持される。ＤＣ−ＤＣコンバータ２１では、この比較結果により、動作用電源ＶＤＤ２の電圧が高くなっている場合には、ラッチ結果によりクロックＣＫをゲートしてコンバータ部３１へのクロックＣＫの供給が停止制御され、これにより動作用電源ＶＤＤ２の電圧上昇が防止される。またこれとは逆に、動作用電源ＶＤＤ２の電圧が低い場合には、ラッチ結果によるクロックＣＫのゲートにより、コンバータ部３１へクロックＣＫが供給されてコンバータ部３１が動作し、これにより動作用電源ＶＤＤ２の電圧効果が防止される。
【００３５】
これによりこの実施の形態では、常時、動作用電源の電圧を比較回路によりモニタする場合に比して消費電力を低減することができるようになされている。
【００３６】
このようにしてクロックＣＫにより動作するコンバータ部３１においては（図１）、チャージスイッチ回路５がオン状態に切り換わって、キャパシタ４の他端を電源ＶＤＤにより充電してキャパシタ４の一端が電源ＶＤＤの電位に設定され、その後、このチャージスイッチ回路５がオフ状態に切り換わり、バッファ回路３によりキャパシタ４の他端の電圧が立ち上げられることにより、電源ＶＤＤにより充電された他端の電圧がバイアスされ、このバイアスされた電圧がアウトスイッチ回路６を介して出力され、これにより電源ＶＤＤを昇圧してなる電源ＶＤＤ２が生成される。
【００３７】
コンバータ部３１においては、これらスイッチ回路５及び６が、それぞれ制御クロックＣＣＫ、ＯＣＫによりタイミングをずらして動作を切り換えるように設定され、これによりこれら２つのスイッチ回路５、６の過渡的な短絡状態が有効に回避され、その分、変換効率が向上され、さらにリップルが低減される。その結果、この液晶表示装置１３全体として見た場合、消費電力が低減され、性能が向上される。
【００３８】
またこれら２つのスイッチ回路５、６のタイミングに対して、キャパシタ４のバイアスに供するバッファ回路３においても、タイミングを異ならせるように設定され、これによっても、過渡的な異常な電流の流出等を防止し得、その分、変換効率を向上することができる。
【００３９】
（３）第１の実施の形態の効果
以上の構成によれば、キャパシタを充電するスイッチ回路と、バイアスされたキャパシタの端子電圧を出力するスイッチ回路とをタイミングをずらしてオンオフ制御することにより、チャージポンプ式のＤＣ−ＤＣコンバータを使用する上で、従来に比して、変換効率を向上し、リップルを少なくすることができる。
【００４０】
これによりこの液晶表示装置においては、消費電力を少なくし、性能を向上することができる。
【００４１】
また過渡的な短絡状態を防止し得ることにより、駆動周波数を高くすることができ、その分、ＤＣ−ＤＣコンバータを小型化、軽量化し、さらには液晶表示装置を小型化、軽量化することができる。
【００４２】
（４）第２の実施の形態
図９は、本発明の第２の実施の形態に適用されるコンバータ部を示す接続図である。このコンバータ部６１は、図１について上述したインバータ回路２、バッファ回路３に代えて、それぞれＮＭＯＳトランジスタ及びＰＭＯＳトランジスタからなる４段のＣＭＯＳインバータ回路６２〜６５による直列回路が適用される。またこのコンバータ部６１は、内蔵の基準信号発生回路６７にマスタクロックＭＣＫを入力し、このマスタクロックＭＣＫにより各部の動作に必要なクロックＸＣＫ、ＯＣＫ、ＣＣＫを生成する。
【００４３】
すなわち基準信号発生回路６７は、マスタクロックＭＣＫを遅延回路（Ｄ）６８、６９により順次遅延し、遅延回路６８の出力をクロックＸＣＫとしてインバータ回路７２を介して出力し、また遅延回路６９の出力とマスタクロックＭＣＫとをオア回路７０、アンド回路７１で処理することによりクロックＯＣＫ、ＣＣＫを生成する。
【００４４】
この実施の形態のようにインバータ回路を偶数段接続してバッファ回路構成によりキャパシタ４を駆動するようにしても、また内蔵の基準信号発生回路で各部の動作に必要なクロックを生成するようにしても、第１の実施の形態と同様の効果を得ることができる。
【００４５】
（５）他の実施の形態
なお上述の実施の形態においては、コンデンサの一端を充電により所定電圧に設定し、バイアスによりこの所定電位を昇圧させる場合について述べたが、本発明はこれに限らず、例えば負側電源を生成する場合のように、放電によりコンデンサの一端を所定電圧に設定し、この所定電圧をバイアスにより立ち下げる場合等にも広く適用することができる。
【００４６】
また上述の実施の形態においては、液晶による表示部と駆動回路とを基板上に形成してなる表示装置に本発明を適用する場合について述べたが、本発明はこれに限らず、入力電源より内部動作用の電源を生成してなる集積回路にあっても広く適用することができる。
【００４７】
また上述の実施の形態においては、液晶セルによる画素を駆動する場合について述べたが、本発明はこれに限らず、種々の表示手段により画素を構成するフラットディスプレイ装置に広く適用することができる。
【００４８】
【発明の効果】
上述のように本発明によれば、キャパシタを充電するスイッチ回路と、バイアスされたキャパシタの端子電圧を出力するスイッチ回路とをタイミングをずらしてオンオフ制御することにより、チャージポンプ式のＤＣ−ＤＣコンバータを使用する上で、従来に比して、変換効率を向上し、リップルを少なくする。
【図面の簡単な説明】
【図１】本発明の第１の実施の形態に係るコンバータ部を示す接続図である。
【図２】図１のコンバータ部による携帯端末装置を示すブロック図である。
【図３】図２の携帯端末装置におけるＤＣ−ＤＣコンバータを示す接続図である。
【図４】図３のＤＣ−ＤＣコンバータにおける比較回路を示す接続図である。
【図５】図３のＤＣ−ＤＣコンバータの動作の説明に供するタイムチャートである。
【図６】図１のコンバータ部の動作の説明に供するタイムチャートである。
【図７】図３のＤＣ−ＤＣコンバータの各種動作基準信号を生成するタイミングジェネレータの構成を示すブロック図である。
【図８】図７のタイミングジェネレータの動作の説明に供するタイムチャートである。
【図９】本発明の第２の実施の形態に係るコンバータ部を示す接続図である。
【図１０】従来のＤＣ−ＤＣコンバータを示す接続図である。
【図１１】図１０のＤＣ−ＤＣコンバータの説明に供するタイムチャートである。
【符号の説明】
１、２１……ＤＣ−ＤＣコンバータ、２……インバータ回路、３……バッファ、４……キャパシタ、５、６……スイッチ回路、１１……画像表示部、１３……画像表示装置、３１……コンバータ部、３２……比較回路、３３……ラッチ
【図１】
2004229434.tif 000003
【図２】
2004229434.tif 000004
【図３】
2004229434.tif 000005
【図４】
2004229434.tif 000006
【図５】
2004229434.tif 000007
【図６】
2004229434.tif 000008
【図７】
2004229434.tif 000009
【図８】
2004229434.tif 000010
【図９】
2004229434.tif 000011
【図１０】
2004229434.tif 000012
【図１１】
2004229434.tif 000013